(57)【要約】      （修正有）【課題】高齢者等が階段における物品の搬送を、容易、かつ、安全に行えるキャリーカートを提供する。【解決手段】物品収納部１４を備えるとともに下部にキャスター１５が取り付けられ、移動用操作部５の操作により移動されるキャリーカート１において、当該キャリーカートの後部に、細長い環状形態で駆動モータ２４により前記環状形態に沿って回転駆動され、当該キャリーカートの階段の昇降移動を可能とする電動移動用ベルト体２２が設けられる。【選択図】図１
0003225230.tif 000002
【実用新案登録請求の範囲】
【請求項１】
物品収納部を備えるとともに下部にキャスターが取り付けられ、移動用操作部の操作により移動されるキャリーカートにおいて、
階段に沿って移動変位する電動移動用ベルト体が設けられたことを特徴とするキャリーカート。
【請求項２】
前記物品収納部の上面に座板兼用蓋が開閉可能に設けられている請求項１記載のキャリーカート。
【請求項３】
前記座板兼用蓋の両側位置に物品落下防止部を備える請求項２記載のキャリーカート。
【請求項４】
前記移動用操作部が所定の角度に折れ曲がり状態とされる請求項１記載のキャリーカート。
【考案の詳細な説明】
【技術分野】
【０００１】  この考案は、高齢者等に好適に用いられるキャリーカートに関する。
【背景技術】
【０００２】  古いマンションや公団住宅等はエレベータを備えていない場合が多く、階段における高齢者の物品搬送は困難であるとともに、危険が伴う問題があった。また、家の門や店の入り口に階段が有る場合にも同様の問題があった。
【考案の概要】
【考案が解決しようとする課題】
【０００３】  この考案は、高齢者等が階段における物品の搬送を、容易、かつ、安全に行えるキャリーカートを提供することを目的とする。
【課題を解決するための手段】
【０００４】  この考案では、物品収納部を備えるとともに下部にキャスターが取り付けられ、移動用操作部の操作により移動されるキャリーカートにおいて、階段に沿って移動変位する電動移動用ベルト体が設けられたことを特徴とするキャリーカートを提供する。【０００５】  上記構成のキャリーカートは、階段に沿って移動変位する電動移動用ベルト体が設けられていることで、階段の有る場合の移動も行えて物品の搬送が行え、高齢者等の使用者に便利に使用される。【０００６】  物品収納部の上面に座板兼用蓋が開閉可能に設けられていることで、停止する状態において使用者は座板兼用蓋上に座り休むことができる。【０００７】  座板兼用蓋の両側位置に物品落下防止部を備える構成とされることで、座板兼用蓋上にも物品が置けて、便利に使用される。【０００８】  移動用操作部が所定の角度に折れ曲がり状態とされることで、キャリーカートを水平移動、階段移動等の適宜の移動形態においての移動操作が行われる。
【考案の効果】
【０００９】  この考案によれば、高齢者等の使用者が階段の有る部分においても、容易、かつ、安全に使用できるキャリーカートが提供される。
【図面の簡単な説明】
【００１０】
【図１】  この考案のキャリーカートの実施形態の斜視図
【図２】  この考案のキャリーカートの実施形態の側面図
【図３】  この考案のキャリーカートの実施形態の使用説明図
【図４】  この考案のキャリーカートの実施形態の使用説明図
【図５】  この考案のキャリーカートの実施形態の使用説明図
【考案の実施形態】
【００１１】  図１はこの考案のキャリーカート１の斜視図、図２は側面図である。２は一対の垂直方向に配置される鉄製のパイプ４よりなる後枠部であり、パイプ４の下端それぞれには後部キャスター８のそれぞれが取り付けられ、パイプ４それぞれの上部両端にはアーチ状の移動用操作部５が折り曲げ調整部１３それぞれを介して前方、後方の所定角度に折り曲げ固定可能に連結されている。
【００１２】  移動用操作部５は上水平部７に操作用スイッチ部９を備え、上水平部７の近傍に並行してブレーキレバー１１が取り付けられており、このブレーキレバー１１の引き操作によりワイヤーが引かれることで後部キャスター８のそれぞれがロックされるようになっている。
【００１３】  パイプ４のそれぞれの下部には前方に突出するように下台１０が取り付けられ、下台１０の周囲上部には囲い体１２が配置され、これにより下台１０の上部空間が物品収納部１４となっている。下台１０の前部下面には前部キャスター１５のそれぞれが取り付けられている。物品収納部１４上には、矢印方向に開く座板兼用蓋１６が取り付けられている。物品収納部１４は内部に収納バックやカゴ等が適宜装着されて使用される。
【００１４】  ２２は一対の電動移動用ベルト体であり、下部が後枠部２下部に取り付けられるとともに途中部が一対のリンク２３で後枠部２に連結されて設けられている。リンク２３のそれぞれが伸び状態にされることで電動移動用ベルト体２２は上部が後傾する状態（図４参照）となる。電動移動用ベルト体２２は操作用スイッチ部９の操作に応答して作動する駆動モータ２４により作動、停止される。
【００１５】  キャリーカート１は、後部キャスター８のロックが外され、移動用操作部５が、図３に示すように、後方に折り曲げ固定された状態において持たれて適宜水平方向における移動が行われる。これにより物品収納部１４内に収納される物品の搬送が行われ、また、上記囲い体１２から一体に上方へ突出する突出ガード部２０が両側に位置することで座板兼用蓋１６上にも物品を載置した状態で移動が行われる。その移動時にはブレーキレバー１１を引くことで後部キャスター８をロックしてキャリーカート１を適宜停止できる。使用者が疲れた場合には、後部キャスター８をロックした状態において座板兼用蓋１６上に座り休むことができる。
【００１６】  従来、スーパーマーケット等においては、店の買い物カゴがセットされる専用のカートが用いられ、キャリーカートの使用者はキャリーカートを店外に置いて買い物の終了後にカートから購入品を下してキャリーカートに積み替えなければならないが、スーパーマーケット内にキャリーカート１とともに入り、座板兼用蓋１６上に買い物カゴを置いて買い物を済ませ、清算後に買い物カゴ内の購入物品を物品収納部１４内に入れることで、カートからキャリーカート１に購入物品を積み替える手間がなく、また、非使用時のキャリーカート１の設置場所を確保する必要もない。
【００１７】  物品搬送機１の階段における使用は、図４に示すように、移動用操作部５が後方に少し折り曲げ固定され、リンク２３が伸ばされて電動移動用ベルト体２２は上部が後傾する状態で行われる。移動用操作部５を上側として電動移動用ベルト体２２それぞれが階段の各段の角縁に沿う状態とされ、電動移動用ベルト体２２が各段の角縁に噛む状態で作動変位し、これによりキャリーカート１が階段に沿って上昇移動、下降移動する。使用者は移動用操作部５の上水平部７を持ち、そこにある操作用スイッチ部９により電動移動用ベルト体２２の作動、停止操作を行う。このようにして、一人の使用者により階段の昇降が行われて、収納物品の搬送移動が行われる。
【００１８】  キャリーカート１は、図５に示すように、後方に倒されて電動移動用ベルト体２２が作動されることで、平面において容易に移動できる。その際には、移動用操作部５は前方（図において上方）に折り曲げられた状態とされて使用される。
【符号の説明】
【００１９】１      キャリーカート
８      キャスター
５      移動用操作部
１４    物品収納部
１５    キャスター
１６    座板兼用蓋
２０    突出ガード部（物品落下防止部）
２２    電動移動用ベルト体
【図１】
0003225230.tif 000003
【図２】
0003225230.tif 000004
【図３】
0003225230.tif 000005
【図４】
0003225230.tif 000006
【図５】
0003225230.tif 000007
【手続補正書】
【提出日】令和1年11月20日(2019.11.20)
【手続補正１】
【補正対象書類名】実用新案登録請求の範囲
【補正対象項目名】全文
【補正方法】変更
【補正の内容】
【実用新案登録請求の範囲】
【請求項１】
物品収納部を備えるとともに下部にキャスターが取り付けられ、移動用操作部の操作により移動されるキャリーカートにおいて、
当該キャリーカートの後部に、細長い環状形態で駆動モータにより前記環状形態に沿って回転駆動され、当該キャリーカートの階段の昇降移動を可能とする電動移動用ベルト体が設けられたことを特徴とするキャリーカート。
【請求項２】
前記物品収納部の上面に座板兼用蓋が開閉可能に設けられている請求項１記載のキャリーカート。
【請求項３】
前記座板兼用蓋の両側位置に物品落下防止部を備える請求項２記載のキャリーカート。
【請求項４】
前記移動用操作部が所定の角度に折れ曲がり状態とされる請求項１記載のキャリーカート。